(57)【要約】      （修正有）【課題】パンツの後部が開閉するように位置を変えて作製したものであり、使用時には後部のファスナーを開いて両側に広げて股のところ迄さげることで用便をすることができる便利なパンツを提供する。【解決手段】本考案におけるキュロットスカート及びパンツのファスナー装置は、本体の背部即ち股下部より上部にかけて腰囲部に達するよう開閉自在に装置するか、上辺腰囲部のベルト端部の接合点にはファスナー以外に完止するホック又はマジックテープを装着するか、係止具としては公知の保持具を利用することは勿論であるが、後部に係止する為見ることが出来ないので、完止効果を考慮して設定せねばならない。そこで本考案においては、従来のかぎホックとマジックテープボタンのような公知の係止具を利用して問題点解決の手段とした。【選択図】図３
0003118094.tif 000002
【実用新案登録請求の範囲】
【請求項１】
織布材を裁断したスカートの前部１と後部２を縫合して股下部５を形成し、縫合部６の上部は開放して開閉自在のファスナー７を装着したスカートの上部はベルト８を縫着し、ベルトの両端部はファスナー７で定着する。ファスナーの上端部は開閉自在にするよう停止ホック９で装着して成るキュロットスカートの改良構造。
【請求項２】
織布材を図８図９に示す形状に裁断して縫製して成る請求項１記載のパンツの改良構造。
【考案の詳細な説明】
【考案の詳細な説明】
【産業上の利用分野】
【０００１】本考案は、特定裁断により縫合したキュロットスカートとパンツの改良構造に関するものである。
【背景技術】
【０００２】従来この種のキュロットスカート及びパンツに限らずショートパンツ等は、用便のときに不便であるという欠点があった。更に用便は可能であっても、ずり落ちやすく裾が汚れる恐れがあって問題点がある。
【考案が解決しようとする課題】
【０００３】従来の技術で述べたように、キュロットスカート及びパンツの開閉ファスナーの取付け位置が前部又は左横部の何れかに設定されているのでこれでは、普通のスカートの場合と同様に用便の際、下部裾部をまくり上げ用便することが出来ないという不便さがある。という問題点がある。本考案は、従来の技術の有するこのような問題点に鑑みてなされたものであり、その目的とするところは、後部のファスナーを開いて両側に広げ下部にさげることで用便を足すことができる便利な改良キュロットスカートを提供せんとするものである。最近は活動的な生活の中で普通のスカートに変わってパンツ又はキュロット式のスカートが若い女性から中高年女性まで幅広く愛用されているが、ファスナーが前開き又は横開きのため旅先などでのトイレは不便であるので、これが解決は本考案の目的である。
【課題を解決するための手段】
【０００４】上記目的を達成するために、本考案におけるキュロットスカート及びパンツのファスナー装置は、本体の背部即ち股下部より上部にかけて腰回部に達するよう開閉自在に装置するが、上辺腰回り部のベルト端部の接合点にはファスナー以外に完止ホック又はマジックテープを装置するか、その他適宜の係止具を設ける。上記係止具は、公知の保持具を利用することは勿論であるが、後部止であるため、見ることはできないので完止効果を考慮して設定せねばならない。そこで本考案においては、従来のかぎホックとマジックテープボタンのような公知の係止具を利用する。
【作用】
【０００５】開閉自在のファスナーは、広い範囲で使用されており、その使用対象物と個所によって効果を表しているが、本考案においては、キュロットスカート及びパンツの後部上半部に限定して使用することに  特徴がある。スカート及びパンツの腰回り部に縫着するベルトの接合両端部は、完止ようマジックテープとかぎホックボタンを併設することは作用効果を増大する。
【実施例】
【０００６】実施例については、図面によって説明する。図３、図４は、縫製前の布材裁断片で、キュロットスカート用に成形した正面図で、両辺を縫合して製品とする。材料は、織布、ファスナー、ベルト芯、かぎホック、マジックテープ、接着テープで、作り方としては凡そ次の要領でなす。ポケットを作る時は、ポケットを先に作る。次に前後を中表にしてわき縫いして股下を縫う。然る左右を合わせて前中心から後あき止まりまで伸ばさないように２度ミシンをかける。後あきはバイヤスになるので、あきの縫いしろに伸止テープを張りファスナーを付け最終にベルトを付ければよい。【０００７】構成は、図１、図２に示す如く、梢等形状に裁断した原布を縫合して図３、図４に示す通り形成する。図に示す股下部より上方に縫合部６を有し、その上部は開放して、開閉自在のファスナー７を装置し、キュロットスカートの上辺部は有芯ベルト８を縫着しベルト８の両端部でファスナーの取付上端部が自在にして係止ホック９又は適宜の係止具を装置する。用便を為す場合には、先ずベルト８の両端部をホック９から外してファスナー７を下に移動して開放した後、腰掛ける前に太股の位置まで降ろしてから腰掛けると使用可能な状態になる。このようにして、容易且つ安全にキュロットスカート着用のまま用便を為すことができる。
【考案の効果】
本考案は、上記の通り構成されているが、次に記載する効果を奏する。（１）ベルト止めとファスナーが後部に装着してあるので、目立たずに外観的にも優れている。（２）用便の際、簡単容易な操作で開放ができて使用効果がある。
【図面の簡単な説明】図１は、キュロットスカートの前部になる裁断片面図図２は、キュロットスカートの後部になる裁断片面図図３は、スカートの縫製ボタン係止背面図図４は、ボタン係止前の開放を示す背面図図５は、縫製されたスカートの正面図図６は、パンツ後部の裁断片面図図７は、パンツ前部の裁断片面図図８は、パンツの縫製背面図図９は、パンツの縫製正面図図１０は、スカーＳとパンツを着したまま簡単に開口して用便を可能にする使用状態を示す姿図である。
【符号の説明】
１−−−−−スカートの前部２−−−−−スカートの後部３−−−−−パンツの前部４−−−−−パンツの後部５−−−−−股下部６−−−−−縫合部９−−−−−係止ホック
【図１】
0003118094.tif 000003
【図２】
0003118094.tif 000004
【図３】
0003118094.tif 000005
【図４】
0003118094.tif 000006
【図５】
0003118094.tif 000007
【図６】
0003118094.tif 000008
【図７】
0003118094.tif 000009
【図８】
0003118094.tif 000010
【図９】
0003118094.tif 000011
【図１０】
0003118094.tif 000012
【手続補正書】
【提出日】平成15年10月20日(2003.10.20)
【手続補正１】
【補正対象書類名】実用新案登録請求の範囲
【補正対象項目名】全文
【補正方法】変更
【補正の内容】
【実用新案登録請求の範囲】
【請求項１】
織布材を裁断したスカートの前部１と後部２を縫合して股下部５を形成し、縫合部６の上部は開放して開閉自在のファスナー７を装着したスカートの上部はベルト８を縫着し、ベルトの両端部はファスナー７で定着する。ファスナーの上端部は開閉自在にするよう停止ホック９で装着して成るキュロットスカートの改良構造。
【請求項２】
織布材を図８、図９に示す形状に裁断して縫製して成るパンツの改良構造。
【手続補正書】
【提出日】平成16年8月3日(2004.8.3)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
織布材を前後に区分するように裁断して縫合製品−する婦人用パンツの構造において、内接縫合する布材１、１′の上部内接面を湾曲状２、２′に成形して股下部となし、正面の腰部３は開放しない縫合止となし背面の腰部４は開閉自在のファスナー５を装着して形成したパンツの上部周円部６には着脱自在のベルト７を縫着して着用ままベルトとファスナーを外すだけで用便が容易に成し得ることを特徴として成る婦人用パンツの構造。
【手続補正２】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【書類名】明細書    【考案の名称】婦人用パンツの構造   【考案の詳細な説明】    【０００１】    【産業上の利用分野】本考案は開閉部を後部に位置付けて設けた婦人用パンツの構造に関するものである。    【０００２】    【背景技術】従来の此種のパンツは前あき又は横あきであるため、特に旅行先などでの用便には不便であった。更に用便は可能であってもずれ落ち易く裾が汚れるという問題点がある。    【０００３】    【考案が解決しようとする課題】従来の技術で述べたように、パンツの開閉ファスナ−の取付位置が、前部又は左右側部の何れかに設定されているので普通のパンツの場合と同様に用便の際、下部裾部をまくり上げて用便することが容易でないという不便さという問題点がある。本考案は、従来の技術の有するこのような問題点に鑑みてなされたものであり、その目的とするところはパンツの後部が開閉するように位置を変えて作製したものである。使用時には後部のファスナ−を開いて両側に広げて股のところ迄さげることで用便をすることができる便利なパンツを提供せんとするものであり本考案の目的とするものである。    【０００４】    【課題を解決するための手段】上記目的を達成するために、本考案におけるパンツの構造は、基本的構造として、パンツの開閉部であるファスナ−の取付位置を、後部に設定する点が従来のパンツの構成と異なる点であり、本考案の主要部分である。勿論ファスナ−の開閉はパンツの上周部に縫着したベルトの着脱自在な装置によって同時開閉が出来て使用可能となる。ベルトの係止具は従来のボタン又は引掛式の外適当な公知の係止具を利用する。    【０００５】    【作用】開閉自在のファスナ−は、広い範囲で使用されており本考案においては後部に使用していることが特徴といえる。パンツの腰周り部に縫着するベルトの接合両端部は完止マジックテ−プとか、又はカギホックボタンを併設することは作用効果を増大する。    【０００６】    【実施例】実施例については図面によって説明する本考案の構成は図示の如く通常のパンツの裁断と変わりはないが、唯開閉口の位置が着用時に従来の前部、側部でなく後部に在ることを基本としている点が重要である。縫製の順序としては、ポケットを先に作り前後を中表にして脇縫いをする。次に股下を縫い、左右を合わせて前中心から後あき止りまで伸ばさないように二度ミシンをかける。後あきはバイヤスになるのであきの縫い代に接着しんをはる。最後にベルトを縫着して完成する。構成は、織布材を図１、図２に示す如く、上部に湾曲部２、２′を有するよう裁断したパンツ本体１、１′を形成し、前方腰部３は縫止し、後方腰部４に開閉自在なファスナ−５を装着し、最上周縁部６にベルト７を縫着して本考案を形成する。用便をなす時は、先づベルト７の両端部をホック８から外してファスナ−５を開放して下に移動して開放した後、腰掛ける前に太股の位置まで降ろしてから腰掛けると使用可能な状態になる。このようにして容易且つ安全にパンツ着用のままの状態で用便を為すことが出来る。    【考案の効果】本考案は、上記の通り構成されているが、次に記載する効果を奏する。（１）ベルト止めとファスナ−がパンツの後部に装着してあるので、目立たずに外観的にも良い。（２）���便の際、簡単容易な操作で開放ができて使用容易である。    【図面の簡単な説明】図１は、パンツ前部になる裁断型を示す正面図。図２は、パンツの後部になる裁断型を示す正面図、図３は、裁断前部、後部を縫合してパンツを形成した側面図、図４は、上部にバンドを縫着して完製したパンツの正面図、図５は、その背面図でファスナ−の縫着状態を示す図６は、成製パンツの左側面図である。図７は、後部のファスナ−を明けた用便時の使用状態を示す姿図である。    【符号の説明】１−−−−−縫布材を裁断した本体２−−−−−本体上部の湾曲部３−−−−−前方腰部４−−−−−後方腰部５−−−−−ファスナ−６−−−−−最上周縁部７−−−−−ベルト８−−−−−止ホック
【手続補正３】
【補正対象書類名】手続補正書
【補正対象項目名】手続補正３
【補正方法】追加
【補正の内容】
【手続補正３】
【補正対象書類名】図面
【補正対象項目名】全図
【補正方法】変更
【補正の内容】
【書類名】図面    【図１】0003118094.tif 000013
【図２】0003118094.tif 000014
【図３】0003118094.tif 000015
【図４】0003118094.tif 000016
【図５】0003118094.tif 000017
【図６】0003118094.tif 000018
【図７】0003118094.tif 000019